(57)【特許請求の範囲】
【請求項１】
強化プラスチックでなる浮き本体を上カップ及び下カップにより構成して中空構造となし、前記上カップ及び前記下カップの外周又は内周に設けたそれぞれ嵌合部に接着剤を施して相互に嵌合・接着すると共に、前記上カップ及び前記下カップのいずれか一方の内周縁部から突出するように付設した係合用突片と他方の内周縁部に形成した係合用凹溝とを相互に係合させるようにしたことを特徴とする釣り用浮き。
【発明の詳細な説明】
【０００１】
【発明の属する技術分野】
本発明は、海、川、湖或いは池等で釣りを行う際に使用する浮きに関する。
【０００２】
【従来の技術】
従来、この種の釣り用浮きとして桐等の天然木材を切削加工して、その表面に耐水塗装を施した木製のものが主流をしめていた。また、近年では樹脂製浮きも使用されているが、これら木製及び樹脂製浮きにあっては釣り場の岩等にぶつかって破損又は損傷し易い等の問題があった。
【０００３】
最近では更に、金属製の浮きが開発されている。この金属製浮きによれば、岩等にぶつかった際の耐衝撃性に優れ、上述のような木製浮き等で問題となる破損事故等の場合に有効に対応し得るというものである。かかる金属浮きの形成材料としては、ステンレス或いはアルミニウム等の金属材料が用られている。
【０００４】
【発明が解決しようとする課題】
従来開発されている金属浮きにおいて、例えばステンレス製金属浮きの場合、ステンレスは比重が大きいことから、低重心設計が困難であった。つまり浮きの重心が比較高くならざるを得なかったため、水中での浮きの安定性に欠け、ひいては良好な釣り効果を期待できない場合があった。また、アルミニウムを用いた金属浮きでは、比重が小さいため上述のような重心の問題を解消し得るものの、特に錆びの発生等の耐蝕性に問題を有していた。
【０００５】
本発明はかかる実情に鑑み、高い耐衝撃性、安定性及び耐蝕性を兼備した優れた性能を有する釣り用浮きを提供することを目的とする。
【０００６】
【課題を解決するための手段】
本発明の釣り用浮きは、強化プラスチックでなる浮き本体を上カップ及び下カップにより構成して中空構造となし、前記上カップ及び前記下カップの外周又は内周に設けたそれぞれ嵌合部に接着剤を施して相互に嵌合・接着すると共に、前記上カップ及び前記下カップのいずれか一方の内周縁部から突出するように付設した係合用突片と他方の内周縁部に形成した係合用凹溝とを相互に係合させるようにしたことを特徴とする。
【０００９】
【作用】
本発明によれば、強化プラスチックにより構成される浮きは、軽量であって耐衝撃性及び耐蝕性に優れ、また成形性が良好であるから量産性にも優れている。強化プラスチックは比重が小さいため、この材料で形成された浮きにおいて下部に錘を装着することで重心を容易に低く設定することができ、高い安定性及び安定した飛行姿勢を保証することができる。更に、衝撃性及び耐水性に優れているため、損傷や浸水のない優れた浮きを実現する。
【００１０】
【発明の実施の形態】
以下、図１〜図３に基づき、本発明による釣り用浮きの好適な実施の形態を説明する。
図１は、この実施形態における釣り用浮き１０の構成例を示している。なお、この実施形態においては本発明を所謂中通し浮きに適用するものとし、図示のように浮き１０の中心部を釣糸１が挿通するようになっている。
【００１１】
図において、浮き１０の浮き本体は、合成樹脂製の上カップ１１と強化プラスチックにより構成される下カップ１２とを接合して成り、この例では中空の概略卵型を呈している。上カップ１１は、好適には有色（赤、黄或いは橙色等）の透光もしくは遮光性を有するポリプロピレン、ポリカーボネイト或いはＡＢＳ等の樹脂材料により形成される。上カップ１１の中央部には、その頂部から下カップ１２の下端部まで垂下されるかたちで、釣糸１を挿通させるための中通し管１３が延設されている。中通し管１３は、この例のように上カップ１１と一体形成されると共に、釣糸１が挿通する中通し孔１３ａを有している。
【００１２】
この実施形態では、浮き１０の少なくとも浮き本体下部、即ち下カップ１２は強化プラスチックにより構成される。この強化プラスチックとしては、所謂繊維強化プラスチック（ＦＲＰ）が好適である。本発明における代表的なものは、不飽和ポリエステル樹脂、エポキシ樹脂或いはフェノール樹脂を母材もしくは基材としたものに炭素繊維又はガラス繊維を補強材として加えて成る複合材料により形成される。かかる複合材料を用いて、プレス加工等によって下カップ１２を形成することができる。
【００１３】
上カップ１１及び下カップ１２は、それぞれの嵌合部（外周）１１ａ及び嵌合部（内周）１２ａを相互に嵌合させることにより、ぴったりと接合する。なお、後述するように上カップ１１及び下カップ１２を接合する際に、これらの嵌合部１１ａ，１２ａに適宜の接着剤を施して嵌合・接着させる。また、上カップ１１の内周縁部の適所（例えば、直径方向の２か所）から突出するように係合用突片１４が付設されると共に、下カップ１２の内周縁部に沿って係合用凹溝１５が形成される。突片１４は、図１の一点鎖線により示されるように一定の幅を有し、その先端部が係合用凹溝１５に弾発的に係合するように支持されている。
【００１４】
下カップ１２の下端部には、中通し管１３のまわりに挿着された錘１６が接着固定される。この錘１６は、例えば鉛等の金属製ワッシャを中通し管１３に複数積層するかたちで取り付けたものにより構成することができ、重い（厚い）ものを下層から順次重ね合わせたものでよい。また、中通し管１３の下端部に段部を設け、この段部にて下カップ１２の孔１２ｂと嵌合・接着する。上カップ１１の頂部には、例えばセラミック製のリング１７が固着している。
【００１５】
本発明の釣り用浮き１０において、先ずこれを製造する場合、図２のように接着剤（×印）を施した上カップ１１及び下カップ１２のそれぞれ嵌合部１１ａ及び嵌合部１２ａを嵌合させる。このとき同時に、上カップ１１の係合用突片１４が下カップ１２の係合用凹溝１５に係合する。これら突片１４及び凹溝１５自体の係合により上カップ１１及び下カップ１２を高い結合強度で結合・保持することができる。つまり接着剤によって上カップ１１及び下カップ１２を最終的に接合する際、予め突片１４及び凹溝１５の係合により結合させておくもので、これにより接着剤の適正且つ完全な接着作用を保証することができる。
【００１６】
因みに、従来のこの種の金属浮きにあっては、上下のカップを接着する際、所定の治具を用いて、接着剤が固化するまで上下のカップを保持外部から保持しておく必要があった。そして接着剤が固化するには最低でも２４時間程度かかり、このようにかなりの手間と時間を要していた。本発明によれば、上述のように浮き１０自体において言わば仮止めのかたちで上カップ１１及び下カップ１２を結合させておくことにより、手間がかからずに確実に接合させることができる。また本発明においては接着剤として好適にはシリコン系接着剤を用いており、接着剤の固化後、例えば熱影響等のために仮に上カップ１１及び下カップ１２間で歪み等が生じた場合においても、シリコン系接着剤によってそのような歪み等を吸収することができる。
【００１７】
さて、上述したように強化プラスチック材料を用いて構成される本発明の浮き１０は、形成材料自体が軽量であり且つ中空構造となっているから浮き１０全体を軽くすることがき、浮きとして必要且つ十分な浮力を得ることができる。この場合、錘１６の重量セッティングにより所望の浮力バランスを設定することができる。また、強化プラスチック材料によれば、高い強度を確保し耐衝撃性に優れていると共に、高い耐蝕性を保証する。また、特に強化プラスチックで成る下カップ１２は、成形性が良好であるから量産性にも優れている。
【００１８】
また、本発明の浮き１０において、特に下カップ１２を構成する強化プラスチックは、金属材料等に比べて比重が小さい。例えば、金属製の浮きとほぼ同一寸法・形状とした場合の浮き１０では、下カップ１２の下部に相対的により重い錘１６を設定することにより、低重心の浮きを容易に実現することができる。
【００１９】
ここで、図３のように本発明の浮き１０を同一寸法・形状の金属浮き１０′と比較する。なお、これら２つの浮き１０及び浮き１０′のそれぞれ全体重量（もしくは質量）Ｍ，Ｍ′は同一とする。
浮き１０の全体重量Ｍ    ；Ｍ＝ｍ１  ＋ｍ２  ＋ｍ３
ここに、ｍ１  ，ｍ２  ，ｍ３  は、浮き１０における上カップ１１、下カップ１２及び錘１６のそれぞれ重量である。
浮き１０′の全体重量Ｍ′；Ｍ′＝ｍ１  ′＋ｍ２  ′＋ｍ３  ′
ここに、ｍ１  ′，ｍ２  ′，ｍ３  ′は、浮き１０′における上カップ１１′、下カップ１２′及び錘１６′のそれぞれ重量である。
【００２０】
本発明の浮き１０の下カップ１２の重量ｍ２  は、金属浮き１０′の下カップ１２′の重量ｍ２  ′よりも軽い、即ちｍ２  ′＞ｍ２  となる。この場合、２つの浮き１０及び浮き１０′の全体重量Ｍ，Ｍ′を同一とするから、本発明の浮き１０の錘１６の重量ｍ３  を金属浮き１０′の錘１６′の重量ｍ３  ′よりも重く設定可能であり、即ちｍ３  ＞ｍ３  ′とすることができる。従って、本発明の浮き１０においては、全体の重心Ｇがより下端部寄りに設定され、即ち低重心とすることができる。これにより浮き１０の高い安定性を確保することができる。
【００２１】
また、ＦＲＰの下カップ１２によれば、成形後にそのままで製品としての表面処理及び彩色（黒等）が施されており、何ら特別な塗装処理等をしないで済む。従って、塗装等のための工数及びその設備等を削減することができ、実質的に低コストの浮きを実現する。
【００２２】
浮き１０の実使用に際して、釣り中に岩等にぶつかる場合に衝突部分となる浮き１０の下部（下カップ１２）を強化プラスチックにより構成し、衝突等による衝撃から浮き本体を保護するようにしたため、浮き１０が岩等に衝突したときに致命的な損傷を受けてしまうのを防止することができる。従って、従来釣り中に浮きが岩等に衝突して浮きが損傷を受けることによって必要となっていた浮き交換、仕掛けの作り直し等の作業が不要となる。
【００２３】
ここで、本発明の別の実施形態において、浮き本体全体が強化プラスチックにより構成される。即ち、前述した実施形態における浮き１０の上カップ１１をも前記強化プラスチック（好適にはＦＲＰ）により構成するものである。上カップ１１及び下カップ１２とも強化プラスチックの複合材料で形成することにより、耐衝撃性や耐蝕性を更に向上させることができる。
【００２４】
また、本発明の更に別の実施形態において、浮き本体全体が強化プラスチック（好適にはＦＲＰ）により一体構成される。この場合、浮き本体をプレス成形等の成形法により所望の形状に形成することができ、一体成形による簡単な中空構造により軽量で、優れた耐衝撃性及び耐蝕性を実現することができる。
【００２５】
なお、上記実施形態において、上カップ１１に係合用突片１４を、また下カップ１２に係合用凹溝１５をそれぞれ設ける例を説明したが、突片１４及び凹溝１５は上カップ１１及び下カップ１２間で逆に設けるようにしてもよい。また、２つの突片１４を設ける例を説明したが、それ以上設けてもよい。
【００２６】
【発明の効果】
以上説明したように本発明によれば、強化プラスチックの複合材料を用いて浮きを構成することにより、軽量で耐衝撃性及び耐蝕性に優れた浮きを実現することができる。また、浮きの重心を容易に低く設定することができ、高い安定性を保証することができる。
【図面の簡単な説明】
【図１】本発明の釣り用浮きの実施形態における構成例を示す断面図である。
【図２】本発明の釣り用浮きの実施形態における構成例を示す分解斜視図である。
【図３】本発明の釣り用浮きの実施形態における重心設定例を比較例と共に説明する図である。
【符号の説明】
１    釣糸
１０    浮き
１１    上カップ
１２    下カップ
１３    中通し管
１３ａ  中通し孔
１４    係合用突片
１５    係合用凹溝
１６    錘
１７    リング
【図１】
0003549650.tif 000002
【図２】
0003549650.tif 000003
【図３】
0003549650.tif 000004